(57)【要約】【課題】建築用金物を折り曲げる為に好適利用可能なツールを提供する。【解決手段】建築用金物折り曲げ用ツールＴは、ツールヘッドの下部に保持部３を設け、その保持部３の両サイドにアーム２，２と一体成型された押圧体を回動自在に設けたものとする。建築用金物７の舌片状板７ｂを保持部３に差し込み、アーム２，２を開くように回動させると、押圧体が垂直直姿勢から保持部３の両脇部位を支点として下方に回動し、係止翼７ｄ、７ｄを押し下げ、その結果係止翼７ｄ、７ｄは折り曲げられる。【選択図】　　図３
2004084333.tif 000002
【特許請求の範囲】
【請求項１】
背板と舌片状板とで断面コ字状に形成された保持面を背中合わせに備え、一方の保持面における舌片状板の両サイドに延設された係止翼を内側に折り曲げ、その折り曲げた係止翼と背板とで鉄骨骨組みの帯状平板部を抱き込むようにして固定すると共に、他方の保持面内に角形鋼材を嵌め込むことにより、前記鉄骨骨組みに角形鋼材を連結する建築用金物に対し、前記係止翼を折り曲げる際に使用する建築用金物折り曲げ用ツールであって、舌片状板を挿入可能な差し込み深さとクリアランスとを有する保持部と、その保持部の少なくとも片脇に、保持部からはみ出した係止翼に当接する加圧面を有し、保持部の側端縁を支点にして下方に回動可能とした押圧体とを備えた建築用金物折り曲げ用ツール。
【請求項２】
背板と舌片状板とで断面コ字状に形成された保持面を背中合わせに備え、一方の保持面内に角形鋼材を嵌め込んで固定すると共に、他方の保持面における舌片状板の両サイドに延設された係止翼を内側に折り曲げ、その折り曲げた係止翼と背板とで鉄骨骨組みの帯状平板部を抱き込むことにより、前記角形鋼材を鉄骨骨組みに連結固定する建築用金物に対し、前記係止翼を内側に折り曲げる際に使用する建築用金物折り曲げ用ツールであって、前記一方の舌片状板に密着する押し当て面を有したツールヘッドと、そのツールヘッドに基端部が枢着され、先端部を他方の舌片状板に係止させるフックとにより両舌片状板を挟み込んで建築用金物を保持する保持部と、前記押し当て面の少なくとも片脇に、押し当て面からはみ出した係止翼の上面に密着する押圧面を有し、押し当て面の端縁を支点として下方に回動する押圧体とを備えた建築用金物折り曲げ用ツール。
【請求項３】
押圧体がレバー操作により回動可能となっている請求項１又は２に記載の建築用金物折り曲げ用ツール。
【請求項４】
押圧体がレバーと一体に形成されている請求項１又は２に記載の建築用金物折り曲げ用ツール。
【発明の詳細な説明】
【０００１】
【発明の属する技術分野】
本発明は、鉄骨骨組みに角形鋼材を連結固定する為の金物を、鉄骨骨組みの帯状平板部に対して連結固着させる際に好適利用できる建築用金物折り曲げ用ツールに関する。
【０００２】
【従来の技術】
鉄骨構造の建築物には、柱同士をＨ型鋼の梁で連結することによって形成された鉄骨骨組みに対し、外側面に適宜間隔で固定配置した鋼材で外壁下地を形成すると共に、内側面にＣ型鋼と称される鋼材で内壁下地を形成する厚壁構造に代わり、角形鋼材を利用した薄壁構造が多く見られるようになってきている
この薄壁構造で利用される角形鋼材は、金属部材や金物等を介して鉄骨骨組みに連結固定させているが、金属部材や金物等は、いずれも現場にてＨ形鋼材へ溶接により連結固定させている。
現場における溶接作業は均一した精度を確保するのが難しく、信頼性にも欠ける。
そこで出願人は、背板と舌片状板とで断面コ字状に形成された保持面を背中合わせに備え、片方の保持面内に角形鋼材をあてがって固定すると共に、反対側の保持面における舌片状板の両サイドに延設された係止翼を内側に折り曲げ、その折り曲げた係止翼と背板とで鉄骨の帯状平板部を抱き込むことにより、前記角形鋼材を鉄骨に連結する建築用金物（特願２００１−３７４６２５号）を提案した。
【０００３】
【発明が解決しようとする課題】
前記建築用金物は、連結作業が容易で、高い結合力を発揮し、而もバラツキがないので高い評価を受けている。
しかしながら係止翼の折り曲げは、これまでハンマーで叩くとか、大型のペンチ等で力任せに押し曲げるしかなく、強く叩いて曲げ過ぎたり、ペンチを握った手を鉄骨に擦り付けるなど、作業性が悪く、作業者の疲労も際立つことから、その折り曲げ操作が金物の普及率を高める一つのネックとなっていた。
そのため業界では、係止翼の折り曲げ操作に好適利用できるツールの開発が望まれている。
【０００４】
【課題を解決するための手段】
本発明は、背板と舌片状板とで断面コ字状に形成された保持面を背中合わせに備え、一方の保持面における舌片状板の両サイドに延設された係止翼を内側に折り曲げ、その折り曲げた係止翼と背板とで鉄骨骨組みの帯状平板部を抱き込むようにして固定すると共に、他方の保持面内に角形鋼材を嵌め込むことにより、前記鉄骨骨組みに角形鋼材を連結する建築用金物に対し、前記係止翼を折り曲げる際に、係止翼の折り曲げ作業を効率よく行える建築用金物折り曲げ用ツールの提供にあり、その構成は、舌片状板を挿入可能な差し込み深さとクリアランスとを有する保持部と、その保持部の少なくとも片脇に、保持部からはみ出した係止翼に当接する加圧面を有し、保持部の側端縁を支点にして下方に回動可能とした押圧体とを備えるか、一方の舌片状板に密着する押し当て面を有したツールヘッドと、そのツールヘッドに基端部が枢着され、先端部を他方の舌片状板に係止させるフックとにより両舌片状板を挟み込んで建築用金物を保持する保持部と、前記押し当て面の少なくとも片脇に、押し当て面からはみ出した係止翼の上面に密着する押圧面を有し、押し当て面の端縁を支点として下方に回動する押圧体とを備えたことにある。
そして前記押圧体は、レバー操作により回動可能としたり、押圧体とレバーとを一体に形成することができる。
【０００５】
【発明の実施の形態】
本発明に係る建築用金物折り曲げ用ツールの実施例を図面に基づいて説明する。
建築用金物折り曲げ用ツールＴをそれぞれ斜視図、正面図で表した図１，図２において、１はツールヘッド、２、２はそのツールヘッド１の両サイドに回動自在に備えられたレバーであって、ツールヘッド１の下面には、建築用金物の舌片状板を前方より挿入可能な差し込み深さとクリアランスとを有する溝状の保持部３が設けられている。
前記各アーム２，２は、ツールヘッド１における保持部３の側端縁に相当した部位を支点にし、垂直姿勢と水平姿勢との間で自由にさせることができ、垂直姿勢においては、アーム２の基端部が、保持部３の上側と同じレベルとなって保持部３の両サイドを開放し、前記アーム２の基端部は、建築用金物の舌片状板が保持部３に差し込まれた状態において、保持部３からはみ出した係止翼に当接する加圧面を有した押圧体（４）として機能する。
そしてアーム２を水平姿勢になるよう回動させれば、押圧体４は加圧面を保持部３の両サイドに向け、垂直に立ちはだかる姿勢となる。
【０００６】
次に、建築用金物折り曲げ用ツールの具体的な使用法を図３に基づいて説明する。
５は、予め工場にＨ型鋼６の縁に溶接されたＴ字型鋼であり、このＴ字型鋼５に建築用金物７を連結固定する。
建築用金物７は、背板７ａと舌片状板７ｂ、７ｂ、７ｃ、７ｃとでコ字状に形成された保持面を互いに９０度の位相差で背中合わせに備え、一方の保持面における舌片状板７ｂ、７ｂの各両サイドに延設された係止翼７ｄ、７ｄ・・を内側に折り曲げ、その折り曲げた係止翼７ｄ、７ｄ・・と背板７ａとでＴ字型鋼５の帯状平板部を抱き込むようにして固定するものである。
この建築用金物７は、図示のように下側に位置する係止翼７ｄ、７ｄ・・を前もって折り曲げておけば、Ｔ字型鋼５に装着した際に下側が係止されるので、いちいち手で支える必要はない。
Ｔ字型鋼５に装着した建築用金物７の位置決めが済めば、上側の舌片状板７ｂが保持部３に導入されるよう建築用金物折り曲げ用ツールＴをあてがい、レバー２，２を左右に広がるよう回動させる（図３のｃ）。
それによって係止翼７ｄ、７ｄは内側に折り曲げられ、建築用金物７はＴ字型鋼５にしっかりと連結固定される（図３のｄ）。
【０００７】
Ｔ字型鋼５へ連結固定したら、他方の保持面に角形鋼材８を嵌め込み、ボルト（図示せず）にて固定する（図３のｅ）。
このようにすれば、素早く而も簡単に建築用金物をＴ字型鋼に連結固定することができ、熟練を要せずして均一した品質が保証される。
又、建築用金物は、コ字状の保持面を互いに９０度の位相差で背中合わせに備えた形態ばかりでなく、図４に示すように、位相角度を変更自在とした形態の建築用金物７’にも適用可能である。
【０００８】
前記実施例は、鉄骨骨組みの内側から操作するのに適した形態であるが、次に、鉄骨骨組みの外側から操作するのに適した変更例について説明する。
図５に示す建築用金物折り曲げ用ツールＴ’と、先に説明した建築用金物折り曲げ用ツールＴとの相違点は、保持部が、舌片状板に密着する押し当て面９と、ツールヘッド１’に基端部が枢着され、先端部を他方の舌片状板に係止させるフック１０で構成したことである。
そしてそのフック１０には、アーム１１が取り付けられている。
【０００９】
このように形成された建築用金物折り曲げ用ツールは、図６に示すように、Ｔ字型鋼５に装着した建築用金物７に対し、前記とは逆の方向より、押し当て面９を上側の舌片状板７ｂに押し当て、アーム１１の操作によってフック１０を下側の舌片状板７ｂに係止させることにより建築用金物折り曲げ用ツールを固定し、前記と同様、レバー２，２を左右に広がるよう回動させれば、係止翼７ｄ、７ｄは内側に折り曲げられ、建築用金物７はＴ字型鋼５にしっかりと連結固定される。
【００１０】
いずれの実施例も押圧体と一体に形成されたレバーを回動操作する構成としたので、シンプルな構造でメンテナンスがしやすいばかりでなく、てこの原理によって軽い力で係止翼を折り曲げできる。
尚、レバーは左右一対でなく片側のみとすることも可能であるし、押圧体とレバーとがリンク結合された構成にしたり、エアー圧を利用して押圧体を回動させる構成にもできる。
【００１１】
【発明の効果】
本発明の建築用金物折り曲げ用ツールを利用すれば、誰にでも素早くかつ確実に連結することができ、バラツキも防止され、保持部の形態の違いにより、外側から操作するか内側から操作するかを選択できる。
そして押圧体をレバー操作により回動可能とすれば、てこの原理が有効利用され、軽い力で折り曲げできるし、レバーと押圧体とが一体成型されていれば、構造が簡単で、メンテナンスが容易となる。
【図面の簡単な説明】
【図１】本発明に係る建築用金物折り曲げ用ツールの斜視図である。
【図２】本発明に係る建築用金物折り曲げ用ツールの正面図である。
【図３】建築用金物折り曲げ用ツールの具体的な使用法を示した説明図である。
【図４】別形態の建築用金物を示した説明図である。
【図５】建築用金物折り曲げ用ツールの変更例を示した説明図である。
【図６】変更例の使用例を示した説明図である。
【符号の説明】
１・・ツールヘッド、２・・レバー、３・・保持部、４・・押圧体、５・・Ｔ字型鋼、６・・Ｈ型鋼、７、７’・建築用金物、７ａ・・背板、７ｂ、７ｃ・・舌片状板、７ｄ・・係止翼、８・・角形鋼材、９・・押し当て面、１０・・フック、１１・・アーム、Ｔ、Ｔ’・・建築用金物折り曲げ用ツール。
【図１】
2004084333.tif 000003
【図２】
2004084333.tif 000004
【図３】
2004084333.tif 000005
【図４】
2004084333.tif 000006
【図５】
2004084333.tif 000007
【図６】
2004084333.tif 000008